(57)【要約】【課題】  樹脂部材の固定においても、樹脂部材を損傷させることなく、締結装置の取り付け及び取り外しの繰り返し使用が可能な締結装置等を提供しようとするものである。【解決手段】  外側表面に雄ねじ部を有し、内側に貫通孔(121)を有する円筒状の第１ねじ(120)と、外側表面に雄ねじ部を有し、内側内面に雌ねじ部を有する全体形状が円筒状の第２ねじ(130)と、第１ねじ(120)の貫通孔(121)に通し、第２ねじ(130)の雌ねじ部に螺合する雄ねじ部を外側表面に有する第３ねじ(140)とを備え、第３ねじ(140)は、貫通孔(121)内径よりも大きな外径を有する操作頭部(141)を備え、第１ねじ(120)及び第２ねじ(130)は、いずれも一方側に外向きフランジ(150)を有し、外向きフランジ(150)の外側の端面には、回転操作部(160)を設けた。【選択図】    図１
2006170263.tif 000002
【特許請求の範囲】
【請求項１】
複数の部材を重ねた状態で締結するための締結装置において、
外側表面に雄ねじ部を有し、内側に貫通孔を有する全体形状が円筒状の第１ねじと、
外側表面に雄ねじ部を有し、内側内面に雌ねじ部を有する全体形状が円筒状の第２ねじと、
前記第１ねじの前記貫通孔に通し、前記第２ねじの雌ねじ部に螺合する雄ねじ部を外側表面に有する第３ねじとを備え、
前記第３ねじは、前記第１ねじの前記貫通孔内径よりも大きな外径を有する操作頭部を備え、
前記第１ねじ及び前記第２ねじは、いずれも一方側にねじの外径方向にリング状に拡がって、ねじの最大外径を形成する外向きフランジを有し、
前記外向きフランジの外側の端面には、外方から前記第１ねじ又は前記第２ねじを回転操作するための回転操作部を設けたことを特徴とする締結装置。
【請求項２】
前記回転操作部は、ドライバーの先端を差し込み可能な差し込み溝、全体形状が楕円状である楕円頭部、又は、六角レンチの端部を差し込み可能な六角レンチ孔のいずれか１つを備えたことを特徴とする請求項１記載の締結装置。
【請求項３】
前記第１ねじ、前記第２ねじ及び前記第３ねじの外側表面の雄ねじ部のねじ溝の回転方向の種類は、右ねじ又は左ねじのいずれか一方の同一回転方向のねじ溝を有していることを特徴とする請求項１又は請求項２に記載の締結装置。
【請求項４】
正面側に開口する正面開口部を有する四角箱状の樹脂製の筐体と、
前記筐体の正面開口部を開閉自在に塞ぐための樹脂製の前扉と、
前記筐体の内部及び前記前扉の表裏面に位置して、遊技を行うための部品装置と、
前記部品装置を、前記筐体又は前記前扉に固定するための締結装置とを備えた遊技機において、
前記締結装置は、
外側表面に雄ねじ部を有し、内側に貫通孔を有する全体形状が円筒状の第１ねじと、
外側表面に雄ねじ部を有し、内側内面に雌ねじ部を有する全体形状が円筒状の第２ねじと、
前記第１ねじの前記貫通孔に通し、前記第２ねじの雌ねじ部に螺合する雄ねじ部を外側表面に有する第３ねじとを備え、
前記第３ねじは、前記第１ねじの前記貫通孔内径よりも大きな外径を有する操作頭部を備え、
前記第１ねじ及び前記第２ねじは、いずれも一方側にねじの外径方向にリング状に拡がって、ねじの最大外径を形成する外向きフランジを有し、
前記外向きフランジの外側の端面には、外方から前記第１ねじ又は前記第２ねじを回転操作するための回転操作部を設け、
前記遊技機は、
樹脂製の前記筐体又は樹脂製の前記前扉と、この前記筐体又は前記前扉に重ねた状態で固定する部品とのうち、いずれか一方を第１の部材として設定し、
前記筐体又は前記前扉と、この前記筐体又は前記前扉に重ねた状態で固定する部品とのうち、前記第１の部材でない方を、第２の部材として設定し、
前記第１ねじを第１の部材にねじ込み、
前記第２ねじを第２の部材の前記第１ねじと整合する位置にねじ込み、
前記第３ねじを、前記第１ねじの貫通孔に通して、前記第２ねじの雌ねじ部にねじ込んで、
第３ねじの操作頭部と前記第２ねじとの間に前記第１ねじを挟み込むことにより、第１及び第２の部材を固定することを特徴とする遊技機。
【発明の詳細な説明】
【技術分野】
【０００１】
この発明は、複数の部材を重ねた状態で締結するための締結装置及びその締結装置を使用する遊技機に関するものである。
【背景技術】
【０００２】
従来、この種の締結装置としては、いわゆるボルト及びナットがあるが、これは、重なりあう二つの部材をボルト操作頭部と、このボルトにねじ込んだナットとにより、はさみこんで、複数部材を締結するものである。このため、重なり合う二つの部材が樹脂からなるような強度的に強くない部材であると、挟み込んだ力によって、固定する部材を破損してしまうものである。
一方、従来のねじとしては、円筒部材の内周面或いは外周面のいずれかにねじ溝を切っているものが知られている（例えば、特許文献１。）。
また、円環状の抜け止めを有する円筒部材の内周面に雌ねじを形成し、外周面に回転止めのためのフランジを形成しているものが知られている（例えば、特許文献２）
また、従来、回転リールを有するスロットマシン等の遊技機は、木質からなり、正面側に開口する正面開口部を有する四角箱状の筐体と、この筐体の前面側の正面開口部を、開閉自在に塞ぐ前扉とを備えていた。そして、この筐体の内部や、前扉の正面側或いは裏面側に、遊技をするための種々の部品装置を、通常は、ねじにより取り付けていた。
【０００３】
一方、環境保護や、木材の原料費高騰や、一体成型による均一品の大量生産の保護等の観点から、筐体に使用する材料を、木質材料から、樹脂による一体成型品へ移行することが検討されている。
また、遊技ホールで使用されるスロットマシンは、いわゆる新台入れ替えと呼ばれるように、短期間で、新たな遊技性を有する新台と交換されるが、その際、遊技性を変更するために必要な部品だけを交換して、その他の遊技性の変更に影響を与えないような部品や、筐体は、そのまま使用するという、いわゆる分離型のスロットマシンが開発されている。
【特許文献１】特開２００１−１８６６４８号公報
【特許文献２】特開２００２−３０９８３６号公報
【発明の開示】
【発明が解決しようとする課題】
【０００４】
しかし、上記した従来の釘や、ねじや、ボルト等の締結装置では、例えば、樹脂等の強度的に弱い軟質部材を、強固に固定し、また、締結装置の取り付け及び取り外しを、繰り返し行うと、固定する部材のねじ孔等が、簡単に摩耗変形し、また、脆いために破損しやすいといった問題点があった。
そして、樹脂製の筐体や、前扉に、部品を固定する分離型のスロットマシンである遊技機において、従来のねじ等の締結装置を使用しようとすると、締結部分が、１回の使用で、使いものにならなくなって、結果として、筐体全体や、前扉全体も、交換しなければならず、部品の再利用が難しいといった問題点があった。
【０００５】
また、遊技機の筐体や、前扉に、締結部材を繰り返し使用しても摩耗や、破損しないような強度的に強い硬質部材を使用すると、材料費が高コストとなる上に、加工が難しくなって、加工コストも増大し、コスト高になってしまうといった問題点があった。
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、樹脂部材の固定においても、樹脂部材を損傷させることなく、締結装置の取り付け及び取り外しの繰り返し使用が可能な締結装置を提供しようとするものである。
【０００６】
（請求項２）  請求項２記載の発明は、上記した請求項１記載の発明の目的に加え、次の点を目的とする。すなわち、請求項２記載の発明は、第１ねじ及び第２ねじの回転操作を簡単なものにして、それらのねじ込み作業を容易なものにすることができるようにした締結装置を提供しようとするものである。
（請求項３）  請求項３記載の発明は、上記した請求項１又は請求項２に記載の発明の目的に加え、次の点を目的とする。すなわち、請求項３記載の発明は、固定作業の際、いずれかのねじが緩まることを防止することができ、強固に締結することができる締結装置を提供しようとするものである。
【０００７】
（請求項４）  請求項４記載の発明は、次の点を目的とする。すなわち、請求項４記載の発明は、上記した従来の技術の有する問題点に鑑みてなされたものであり、その目的とするところは、樹脂部材の固定においても、樹脂部材を損傷させることなく、締結装置の取り付け及び取り外しの繰り返し使用が可能で部品を再利用することができてコスト低減化を図ることができるようにした遊技機を提供しようとするものである。
【課題を解決するための手段】
【０００８】
（請求項１）  請求項１記載の発明は、次の点を特徴とする。すなわち、複数の部材を重ねた状態で締結するための締結装置(100)において、外側表面に雄ねじ部を有し、内側に貫通孔(121)を有する全体形状が円筒状の第１ねじ(120)と、外側表面に雄ねじ部を有し、内側内面に雌ねじ部を有する全体形状が円筒状の第２ねじ(130)と、前記第１ねじ(120)の前記貫通孔(121)に通し、前記第２ねじ(130)の雌ねじ部に螺合する雄ねじ部を外側表面に有する第３ねじ(140)とを備え、前記第３ねじ(140)は、前記第１ねじ(120)の前記貫通孔(121)内径よりも大きな外径を有する操作頭部(141)を備え、前記第１ねじ(120)及び前記第２ねじ(130)は、いずれも一方側に外向きフランジ(150)を有し、前記外向きフランジ(150)の軸方向の端面には、外方から前記第１ねじ(120)又は前記第２ねじ(130)を回転操作するための回転操作部(160)を設けたことを特徴とする。
【０００９】
（作用）  本発明は、第１ねじ(120)を、第１ねじ(120)の雄ねじ部を用いて、第１の部材(171)にねじ込む。そして、第２ねじ(130)を、第１ねじ(120)と整合する位置の第２の部材(172)に、第２ねじ(130)の雄ねじ部を用いてねじ込む。そして、第３ねじ(140)の反操作頭部(141)側を、第１ねじ(120)の貫通孔(121)に通して、第３ねじ(140)の雄ねじ部を第２ねじ(130)の雌ねじ部にねじ込んで、第３ねじ(140)の操作頭部(141)と第２ねじ(130)との間に第１ねじ(120)を挟み込む。これにより、第３ねじ(140)を介して、第１ねじ(120)及び第２ねじ(130)を固定することができる。したがって、第１ねじ(120)に固定された第１の部材(171)と、第２ねじ(130)に固定された第２の部材(172)との両者を、固定することができる。
【００１０】
その際、第１ねじ(120)及び第２ねじ(130)は、いずれも一方側に外向きフランジ(150)を有しているため、それらを第１の部材(171)及び第２の部材(172)にねじ込む際、位置決めが容易となる上に、外向きフランジ(150)との間の摩擦力により、第１ねじ(120)及び第２ねじ(130)を強固に各部材に固定することができる。また、外向きフランジ(150)を有しているため、外向きフランジ(150)を有していない軸方向方への抜けを防止することができる。
また、それらの外向きフランジ(150)の軸方向の端面には、外方から第１ねじ(120)又は第２ねじ(130)を回転操作するための回転操作部(160)を備えているため、第１ねじ(120)及び第２ねじ(130)を各部材にねじ込むことが容易となる。
【００１１】
（請求項２）  請求項２記載の発明は、上記した請求項１記載の発明の特徴点に加え、次の点を特徴とする。すなわち、前記回転操作部(160)は、ドライバーの先端を差し込み可能な差し込み溝(163)、全体形状が楕円状である楕円頭部、又は、六角レンチの端部を差し込み可能な六角レンチ孔のいずれか１つを備えたことを特徴とする。
（作用）  本発明は、回転操作部(160)が、ドライバーの先端を差し込み可能な差し込み溝(163)、全体形状が楕円状である楕円頭部、又は、六角レンチの端部を差し込み可能な六角レンチ孔のいずれか１つを備えている。このため、ドライバーや、六角レンチ等の道具を用いることにより、回転操作部(160)を簡単に回転させることができる。また、回転操作部(160)が楕円頭部からなるため、手により、或いは、ペンチ等にかかる楕円頭部を掴んで、回転操作部(160)を簡単に回転させることができる。これにより、第１ねじ(120)及び第２ねじ(130)のねじ込み作業を容易なものにすることができる。
【００１２】
（請求項３）  請求項３記載の発明は、上記した請求項１又は請求項２に記載の発明の特徴点に加え、次の点を特徴とする。すなわち、前記第１ねじ(120)、前記第２ねじ(130)及び前記第３ねじ(140)の外側表面の雄ねじ部のねじ溝の回転方向の種類は、右ねじ又は左ねじのいずれか一方の同一回転方向のねじ溝を有していることを特徴とする。
（作用）  本発明は、第１ねじ(120)、第２ねじ(130)及び第３ねじ(140)の外側表面の雄ねじ部のねじ溝の回転方向を、同一回転方向に形成している。そして、この３つのねじを、ねじ溝の回転方向が同一方向となるように配置することにより、第３ねじ(140)を一方向にねじ込む際、摩擦力により、第１ねじ(120)及び第２ねじ(130)も同一方向にねじ込む方向に回転させることができる。これにより、全てのねじが締まる方向に回転させることができて、いずれかのねじが緩まることを防止することができ、強固に締結することができる。
【００１３】
（請求項４）  請求項４記載の発明は、次の点を特徴とする。すなわち、正面側に開口する正面開口部を有する四角箱状の樹脂製の筐体(11)と、前記筐体(11)の正面開口部を開閉自在に塞ぐための樹脂製の前扉(5)と、前記筐体(11)の内部及び前記前扉(5)の表裏面に位置して、遊技を行うための部品装置と、前記部品装置を、前記筐体(11)又は前記前扉(5)に固定するための締結装置(100)とを備えた遊技機(10)において、前記締結装置(100)は、外側表面に雄ねじ部を有し、内側に貫通孔(121)を有する全体形状が円筒状の第１ねじ(120)と、外側表面に雄ねじ部を有し、内側内面に雌ねじ部を有する全体形状が円筒状の第２ねじ(130)と、前記第１ねじ(120)の前記貫通孔(121)に通し、前記第２ねじ(130)の雌ねじ部に螺合する雄ねじ部を外側表面に有する第３ねじ(140)とを備え、前記第３ねじ(140)は、前記第１ねじ(120)の前記貫通孔(121)内径よりも大きな外径を有する操作頭部(141)を備え、前記第１ねじ(120)及び前記第２ねじ(130)は、いずれも一方側に外向きフランジ(150)を有し、前記外向きフランジ(150)の軸方向の端面には、外方から前記第１ねじ(120)又は前記第２ねじ(130)を回転操作するための回転操作部(160)を設け、前記第１ねじ(120)を第１の部材(171)にねじ込み、前記第２ねじ(130)を第２の部材(172)の前記第１ねじ(120)と整合する位置にねじ込み、前記第３ねじ(140)を、前記第１ねじ(120)の貫通孔(121)に通して、前記第２ねじ(130)の雌ねじ部にねじ込んで、第３ねじ(140)の操作頭部(141)と前記第２ねじ(130)との間に前記第１ねじ(120)を挟み込むことにより、第１及び第２の部材(172)を固定することを特徴とする。
【００１４】
また、ここで、「遊技機(10)」とは、具体的には、例えば、スロットマシンであるが、スロットマシン同様に回転リールを有するが、遊技媒体として、遊技メダルではなく、遊技球を使用する、いわゆるパロットや、パチンコ機や、その他の遊技機も含むものである。
また、ここで、第１の部材(171)を、筐体(11)又は前扉(5)に設定した場合、第２の部材(172)は、筐体(11)又は前扉(5)に固定する遊技を行うための部品装置となるものである。
また、ここで、第２の部材(171)を、筐体(11)又は前扉(5)に設定した場合、第１の部材(172)は、筐体(11)又は前扉(5)に固定する遊技を行うための部品装置となるものである。
【００１５】
（作用）  本発明は、第１ねじ(120)を、第１ねじ(120)の雄ねじ部を用いて、第１の部材(171)にねじ込む。そして、第２ねじ(130)を、第２の部材(172)の第１ねじ(120)と整合する位置に、第２ねじ(130)の雄ねじ部を用いてねじ込む。そして、第３ねじ(140)の反操作頭部(141)側を、第１ねじ(120)の貫通孔(121)に通して、第３ねじ(140)の雄ねじ部を第２ねじ(130)の雌ねじ部にねじ込んで、第３ねじ(140)の操作頭部(141)と第２ねじ(130)との間に第１ねじ(120)を挟み込む。これにより、第３ねじ(140)を介して、第１ねじ(120)及び第２ねじ(130)を固定することができる。したがって、第１ねじ(120)に固定された第１の部材(171)と、第２ねじ(130)に固定された第２の部材(172)との両者を、固定することができる。
【００１６】
その際、第１ねじ(120)及び第２ねじ(130)は、いずれも一方側に外向きフランジ(150)を有しているため、それらを第１の部材(171)及び第２の部材(172)にねじ込む際、位置決めが容易となる上に、外向きフランジ(150)との間の摩擦力により、第１ねじ(120)及び第２ねじ(130)を強固に各部材に固定することができる。また、外向きフランジ(150)を有しているため、外向きフランジ(150)を有していない軸方向方への抜けを防止することができる。
また、それらの外向きフランジ(150)の軸方向の端面には、外方から第１ねじ(120)又は第２ねじ(130)を回転操作するための回転操作部(160)を備えているため、第１ねじ(120)及び第２ねじ(130)を各部材にねじ込むことが容易となる。
【００１７】
その際、第１の部材(171)又は第２の部材(172)の少なくとも一方が樹脂製であっても、当該締結装置(100)は、第３ねじ(140)の操作頭部(141)と、第２ねじ(130)との間に、第１ねじ(120)を挟み込んで、第１の部材(171)を、直接はさみ込むものではない。すなわち、かかる挟み込み力を、直接、第１の部材(171)に加えておらず、第１ねじ(120)を介して、分散させている。また、第２の部材(172)へも直接、第３ねじ(140)の締め付ける力が加わっておらず、第２ねじ(130)を介して間接的に伝達されている。これにより、樹脂製の筐体(11)や、前扉(5)の特定箇所に応力が集中することを回避することができ、かかる樹脂製の部材の破損や、変形を防止することができる。これにより、両部材を強固に固定することができる上に、樹脂製の部材である筐体(11)や前扉(5)への変形や破損を抑えることができる。これにより、かかる筐体(11)や前扉(5)への部品装置の取り付け、取り外しを繰り返し行うことができ、筐体(11)や前扉(5)を繰り返し使用することができて、部品の再利用を促進させることができ、結果として、コスト低減化を図ることができる。
【発明の効果】
【００１８】
本発明は、以上のように構成されているので、以下に記載されるような効果を奏する。
（請求項１）  請求項１記載の発明によれば、次のような効果を奏する。すなわち、請求項１記載の発明によれば、樹脂部材の固定においても、樹脂部材を損傷させることなく、締結装置の取り付け及び取り外しの繰り返し使用が可能な締結装置を提供することができる。
（請求項２）  請求項２記載の発明によれば、上記した請求項１記載の発明の効果に加え、次のような効果を奏する。すなわち、請求項２記載の発明によれば、第１ねじ及び第２ねじの回転操作を簡単なものにして、それらのねじ込み作業を容易なものにすることができるようにした締結装置を提供することができる。
【００１９】
（請求項３）  請求項３記載の発明によれば、上記した請求項１又は請求項２に記載の発明の効果に加え、次のような効果を奏する。すなわち、請求項３記載の発明によれば、固定作業の際、いずれかのねじが緩まることを防止することができ、強固に締結することができる締結装置を提供することができる。
（請求項４）  請求項４記載の発明によれば、次のような効果を奏する。すなわち、請求項４記載の発明によれば、樹脂部材の固定においても、樹脂部材を損傷させることなく、締結装置の取り付け及び取り外しの繰り返し使用が可能で部品を再利用することができてコスト低減化を図ることができるようにした遊技機を提供することができる。
【発明を実施するための最良の形態】
【００２０】
（図面の説明）  図１乃至図６は、本発明の実施の形態を示すものである。図１は締結装置で固定した状態の縦断面図、図２は第１ねじ、第２ねじ及び第３ねじを分離した状態の縦断面図、図３は第１ねじ、第２ねじ及び第３ねじを分離した状態の外観斜視図、図４は外向きフランジの外観上面図、図５は第３ねじで固定した状態の外向きフランジの外観上面図、図６は遊技機の外観正面図をそれぞれ示すものである。
以下に、複数の部材を重ねた状態で締結するための締結装置100と、この締結装置100を使用した遊技機10とについて説明する。
前記遊技機10は、正面側に開口する正面開口部を有する四角箱状の樹脂製の筐体11と、筐体11の正面開口部を開閉自在に塞ぐための樹脂製の前扉5と、筐体11の内部及び前扉5の表裏面に位置して、遊技を行うための部品装置と、部品装置を、筐体11又は前扉5に固定するための締結装置100とを備えているものである。なお、ここで、部品装置とは、前扉5や筐体11内部に固定する部品であって、メダル投入口18や、スピーカ67や、リールユニット60や、ホッパーユニット65等である。
【００２１】
（遊技機10）  図６中、10は、遊技機10を示すものである。遊技機10は、図６に示すように、四角箱状の筐体11を有する。前記筐体11の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。
上記回転リール40は、図６の向かって左端側に位置する左側回転リール43と、図６の向かって右端側に位置する右側回転リール45と、この左側回転リール43及び右側回転リール45の間に位置する中央回転リール44とからなるものである。そして、遊技機10の前面側には、特に図示しないが、横方向に三本、左右の対角線上の斜め方向に二本の合計五本の入賞ラインが形成されている。遊技機10の内部には、図示していないが、遊技機10の全体の動作を制御するための制御装置20（図１参照）が内蔵されている。
【００２２】
前記前扉5の正面側には、投入スイッチ15、ベットスイッチ16、精算スイッチ17、スタートスイッチ30、ストップスイッチ50、投入スイッチ15、報知ランプ69、表示装置68等が固定されている。また、筐体11の内部には、特に図示していないが、骨組み状の支持体に、リールユニット60、制御装置20が固定された交換ユニットが交換可能に固定されている。また、筐体11の内部には、ホッパーユニット65や、電源装置等が固定されている。
（締結装置100）  前記締結装置100は、当該遊技機10の部品を固定するために、複数の部材を重ねた状態で締結するためのものである。具体的には、この締結装置100は、部品装置を、前扉5又は筐体11に固定するためのものであるが、筐体11や、前扉3が、複数の部材から構成されているような場合に、当該複数の部材同士を締結するために使用しても良いものである。
【００２３】
前記締結装置100は、外側表面に雄ねじ部を有し、内側に貫通孔121を有する全体形状が円筒状の第１ねじ120と、外側表面に雄ねじ部を有し、内側内面に雌ねじ部を有する全体形状が円筒状の第２ねじ130と、第１ねじ120の貫通孔121に通し、第２ねじ130の雌ねじ部に螺合する雄ねじ部を外側表面に有する第３ねじ140とを備えている。
（第１ねじ120）  前記第１ねじ120は、全体形状が略円筒状のものであって、外側表面に右ねじの雄ねじ部である第１雄ねじ部122を有している。そして、第１ねじ120は、円筒状の内側表面にねじが切られていない貫通孔121を有している。この第１ねじ120は、円筒状の一方側の端面に、縁から第１ねじ120の外径方向に向かってリング状に拡がって、第１ねじ120の最大外径を形成する外向きフランジ150としての第１外向きフランジ151が形成されている。そして、第１外向きフランジ151の外側の端面には、外方から第１ねじ120を回転操作するための回転操作部160としての第１回転操作部161が形成されている。この第１回転操作部161は、第１外向きフランジ151の端面に位置して、マイナスドライバーの先端を差し込み可能な凹溝状の差し込み溝163である。この差し込み溝163は、第１外向きフランジ151の円周方向に４５度間隔で全部で８個、形成されている。
【００２４】
なお、第１ねじ120の貫通孔121の径は、第２ねじ130の第２雌ねじ部132や、第２ねじ130の第３雄ねじ部142の径よりも大きくなるように形成されている。
また、ここで、本明細書における「右ねじ」とは、例えば、第３ねじ140を右回転方向に回転した場合に、前（具体的には、図１の場合、図面の下方向）方向に進むものである。また、「左ねじ」とは、例えば、第３ねじ140を左回転方向に回転した場合に、前（具体的には、図１の場合、図面の下方向）方向に進むものである。
（第２ねじ130）  前記第２ねじ130は、全体形状が略円筒状のものであって、外側表面に右ねじの雄ねじ部である第２雌ねじ部132を有している。そして、第２ねじ130は、円筒状の内側表面にも右ねじの雌ねじ部である第２雌ねじ部132を有している。そして、第２ねじ130は、円筒状の一方側の端面に、縁から第２ねじ130の外径方向に向かってリング状に拡がって、ねじの最大外径を形成する外向きフランジ150としての第２外向きフランジ152が形成されている。そして、第２外向きフランジ152の外側の端面には、外方から第２ねじ130を回転操作するための回転操作部160としての第２回転操作部162が形成されている。この第２回転操作部162は、第２外向きフランジ152の端面に位置して、マイナスドライバーの先端を差し込み可能な凹溝状の差し込み溝163である。この差し込み溝163は、円周方向に４５度間隔で全部で８個、形成されている。
【００２５】
前記貫通孔121の外向きフランジ150を設けてある方の端面の周縁は、斜めに傾斜した縁取りとしての傾斜受け部123が形成されている。この傾斜受け部123は、第３ねじ140の操作頭部141の傾斜面143と整合するような傾斜角度に形成されて、第３ねじ140をねじ込んだ際、両者が強固に密着することができるように形成されているものである。
なお、ここで、第１ねじ120の回転操作部160と、第２ねじ130の回転操作部160とは、上述したようにドライバーの先端が差し込み可能な差し込み溝163に限定されるものではない。例えば、この回転操作部160を、全体形状が楕円状である楕円頭部に形成しても良いものである。これにより、手の指や、ペンチ等で、楕円頭部を掴んで、簡単に回すことができる。また、回転操作部160に、上述した差し込み溝163の代わりに六角レンチの端部を差し込み可能な六角レンチ孔を設けるようにしても良い。これにより、六角レンチ端部を差し込んで簡単に回転操作部160を回転させることができるものである。
【００２６】
（第３ねじ140）  前記第３ねじ140は、第１ねじ120の貫通孔121に通し、第２ねじ130の第２雌ねじ部132に螺合する雄ねじ部としての第３雄ねじ部142を外側表面に有する全体形状が略ボルト状のものである。第３ねじ140は、第１ねじ120の貫通孔121の内径よりも大きな外径を有する操作頭部141を備えている。この操作頭部141の軸方向の端面には、プラスドライバー又はマイナスドライバーの先端を差し込み可能な十字状の凹溝からなる十字状差し込み溝164が形成されている。
ここで、第１ねじ120、第２ねじ130及び第３ねじ140の外側表面の雄ねじ部のねじ溝の回転方向の種類は、右ねじの同一回転方向のねじ溝を有している。もちろん、第１ねじ120、第２ねじ130及び第３ねじ140の外側表面の雄ねじ部のねじ溝の回転方向の種類を、左ねじの同一回転方向のねじ溝に形成しても良い。
【００２７】
（作用）  本実施の形態は、第１ねじ120を、第１ねじ120の第１雄ねじ部122を用いて、遊技機10の樹脂製の前扉5や筐体11である第１の部材171にねじ込む。そして、第２ねじ130を、第１ねじ120と整合する位置の部品装置等の第２の部材172に、第２ねじ130の第２雄ねじ部131を用いてねじ込む。その際、第１の部材171や第２の部材172には、予め第１雄ねじ部122や第２雄ねじ部131と螺合するような雌ねじ部が切られたねじ孔が形成されている。なお、第１の部材171と第２の部材172との組み合わせは、筐体11及びそれに固定する部品装置や、筐体同士や、前扉5及びそれに固定する部品装置や、組み合わせは、自由に設定できるものである。そして、第３ねじ140の反操作頭部141側を、第１ねじ120の貫通孔121に通して、第３ねじ140の第３雄ねじ部142を第２ねじ130の第２雌ねじ部132にねじ込んで、第３ねじ140の操作頭部141と第２ねじ130との間に第１ねじ120を挟み込む。これにより、第３ねじ140を介して、第１ねじ120及び第２ねじ130を固定することができる。したがって、第１ねじ120に固定された第１の部材171と、第２ねじ130に固定された第２の部材172との両者を、固定することができる。
【００２８】
その際、第１の部材171は、樹脂製の筐体11であるが、当該締結装置100は、第３ねじ140の操作頭部141と、第２ねじ130との間に、第１ねじ120を挟み込むものである。すなわち、樹脂製の筐体11からなる第１の部材171を、直接はさみ込むものではない。したがって、かかる挟み込み力を、直接、樹脂製からなる筐体11の第１の部材171に加えておらず、第１ねじ120を介して、分散させている。これにより、樹脂製の筐体11の特定箇所に応力が集中することを回避することができ、かかる樹脂製の第１の部材171の破損や、変形を防止することができる。これにより、両部材を強固に固定することができる上に、樹脂製の第１の部材171への変形や破損を抑えることができる。したがって、かかる筐体11への部品の取り付け、取り外しを繰り返し行うことができ、筐体11を繰り返し使用することができる。
【００２９】
なお、第１ねじ120及び第２ねじ130は、いずれも一方側に外向きフランジ150である第１外向きフランジ151及び第２外向きフランジ152を有しているため、それらを第１の部材171及び第２の部材172にねじ込む際、位置決めが容易となる上に、外向きフランジ150と固定部材との間の摩擦力により、第１ねじ120及び第２ねじ130を強固に各部材に固定することができる。また、外向きフランジ150を有しているため、外向きフランジ150を有していない軸方向方への抜けを防止することができる。
また、それらの外向きフランジ150の軸方向の端面には、外方から第１ねじ120又は第２ねじ130を回転操作するための回転操作部160としての第１回転操作部161及び第２回転操作部162を備えている。このため、マイナスドライバー等の使用して、第１ねじ120及び第２ねじ130を各部材にねじ込むことが容易となる。
【００３０】
更に、本実施の形態では、第１ねじ120、第２ねじ130及び第３ねじ140の外側表面の雄ねじ部（第１雄ねじ部122、第２雄ねじ部131、第３雄ねじ部142）のねじ溝の回転方向を、同一回転方向である右ねじに形成している。そして、この３つのねじを、ねじ溝の回転方向が同一方向の右ねじに形成していることにより、第３ねじ140を右回転方向にねじ込む際、摩擦力により、第１ねじ120及び第２ねじ130も右回転方向、すなわち、ねじ込む方向に回転させることができる。これにより、全てのねじが締まる方向に回転させることができて、いずれかのねじが緩まることを防止することができ、強固に締結することができる。
【００３１】
（他の実施の形態）
図７は、本発明の他のバリエーションを示すものである。本実施の形態は、第２ねじ130の第２雄ねじ部131だけを上述したねじの回転方向を逆方向の左ねじに形成している。そして、この第２ねじ130を第２の部材172の反対側からねじ込んで固定しているものである。すなわち、第２ねじ130の第２回転操作部162を図７に示す第２の部材172の下面側に配置して、図７の下面側から上方に向かって第２ねじ130をねじ込んでいる。これにより、第１ねじ120及び第２ねじ130の緩みを防止することができる上に、第１の部材171と第２の部材172との間に、外向きフランジ150としての第２外向きフランジ152が挟まれることを回避することができる。これにより、第１の部材171と第２の部材172との間の隙間の発生を抑えることができて、両者を密着した状態で固定することができ、第１の部材171と第２の部材172との固定をより強固なものにすることができる。
【００３２】
なお、その他の構成は、上述した実施の形態と同一であって、その作用及び効果も同一であるため、それらの説明は省略する。
【図面の簡単な説明】
【００３３】
【図１】本発明の実施の形態であって、締結装置で固定した状態を示す縦断面図である。
【図２】本発明の実施の形態であって、第１ねじ、第２ねじ及び第３ねじを分離した状態を示す縦断面図である。
【図３】本発明の実施の形態であって、第１ねじ、第２ねじ及び第３ねじを分離した状態を示す外観斜視図である。
【図４】本発明の実施の形態であって、外向きフランジを示す外観上面図である。
【図５】本発明の実施の形態であって、第３ねじで固定した状態を示す外向きフランジを示す外観上面図である。
【図６】本発明の実施の形態であって、遊技機を示す外観正面図である。
【図７】本発明の他の実施の形態であって、締結装置で固定した状態を示す縦断面図である。
【符号の説明】
【００３４】
5  前扉                                10  遊技機
11  筐体                                12  表示窓
13  図柄表示窓                          15  投入スイッチ
16  ベットスイッチ                      17  精算スイッチ
18  メダル投入口                        20  制御装置
30  スタートスイッチ                    40  回転リール
43  左側回転リール                      44  中央回転リール
45  右側回転リール                      50  ストップスイッチ
60  リールユニット                      61  図柄
65  ホッパーユニット                    66  報知装置
67  スピーカ                            68  表示装置
69  報知ランプ                          100  締結装置
120  第１ねじ                          121  貫通孔
122  第１雄ねじ部                      123  傾斜受け部
130  第２ねじ                          131  第２雄ねじ部
132  第２雌ねじ部                      140  第３ねじ
141  操作頭部                          142  第３雄ねじ部
143  傾斜面                            150  外向きフランジ
151  第１外向きフランジ                152  第２外向きフランジ
160  回転操作部                        161  第１回転操作部
162  第２回転操作部                    163  差し込み溝
164  十字状差し込み溝                  171  第１の部材
172  第２の部材
【図１】
2006170263.tif 000003
【図２】
2006170263.tif 000004
【図３】
2006170263.tif 000005
【図４】
2006170263.tif 000006
【図５】
2006170263.tif 000007
【図６】
2006170263.tif 000008
【図７】
2006170263.tif 000009